(57)【特許請求の範囲】
【請求項１】
現用系と予備系とを備えて二重化構成をなし、現用系運用中には、現用系信号とは異なる信号を、予備系伝送路を使用して付加端局装置との間で授受する多重化端局装置であって、
少なくとも１つの主端局装置とインタフェースをとる主端局用現用系インタフェース手段と、
少なくとも１つの前記主端局装置とインタフェースをとる主端局用予備系インタフェース手段と、
少なくとも１つの付加端局装置とインタフェースをとる付加端局インタフェース手段と、
現用系伝送路とのインタフェースをとる現用系伝送路インタフェース手段と、
予備系伝送路とのインタフェースをとる予備系伝送路インタフェース手段と、
前記現用系伝送路へと送出すべき複数チャネルの信号を多重化して１つの多重化信号を生成するとともに、前記現用系伝送路及び前記現用系伝送路インタフェース手段を介して到来する前記多重化信号を複数チャネルの信号に分離し、この分離された複数チャネルの信号を各チャネル別に出力する伝送路側現用系多重分離手段と、
前記予備系伝送路へと送出すべき複数チャネルの信号を多重化して１つの多重化信号を生成するとともに、前記予備系伝送路及び前記予備系伝送路インタフェース手段を介して到来する前記多重化信号を複数チャネルの信号に分離し、この分離された複数チャネルの信号を各チャネル別に出力する伝送路側予備系多重分離手段と、
前記主端局装置へと送出すべき複数チャネルの信号を多重化して１つの多重化信号を生成するとともに、前記主端局用現用系インタフェース手段を介して到来する前記多重化信号を複数チャネルの信号に分離し、この分離された複数チャネルの信号を各チャネル別に出力する主端局側現用系多重分離手段と、
前記主端局装置へと送出すべき複数チャネルの信号を多重化して１つの多重化信号を生成するとともに、前記主端局用予備系インタフェース手段を介して到来する前記多重化信号を複数チャネルの信号に分離し、この分離された複数チャネルの信号を各チャネル別に出力する主端局側予備系多重分離手段と、
前記付加端局装置へと送出すべき複数チャネルの信号を多重化して１つの多重化信号を生成するとともに、前記付加端局インタフェース手段を介して到来する前記多重化信号を複数チャネルの信号に分離し、この分離された複数チャネルの信号を各チャネル別に出力する付加系多重分離手段と、
前記伝送路側現用系多重分離手段を前記主端局側現用系多重分離手段及び前記主端局側予備系多重分離手段に選択的に接続する第１の選択手段と、
前記伝送路側予備系多重分離手段を前記主端局側現用系多重分離手段、前記主端局側予備系多重分離手段及び前記付加系多重分離手段に選択的に接続するとともに、前記主端局用現用系インタフェース手段及び前記主端局側現用系多重分離手段が正常であるときに、前記伝送路側予備系多重分離手段を前記付加系多重分離手段に接続する第２の選択手段とを具備してなることを特徴とする多重化端局装置。
【請求項２】
前記第１及び第２の選択手段の各々は、少なくとも（前記多重化信号のビットレート／１チャネル当たりの信号のビットレート）に相当する個数のスイッチを有してなることを特徴とする請求項１記載の多重化端局装置。
【請求項３】
前記主端局用現用系インタフェース手段及び主端局側現用系多重分離手段は、それぞれ同一基板上に形成されて１枚の第１インタフェース基板を成し、前記主端局用予備系インタフェース手段及び主端局側予備系多重分離手段は、それぞれ同一基板上に形成されて１枚の第２インタフェース基板を成し、前記付加端局インタフェース手段及び前記付加系多重分離手段は、それぞれ同一基板上に形成されて１枚の第３インタフェース基板を成し、
これら第１，第２及び第３インタフェース基板は、互いに同一種類の基板であることを特徴とする請求項１記載の多重化端局装置。
【請求項４】
現用系、予備系の二重化構成を有し、かつ現用系運用中には、現用系信号とは異なる信号を、予備系伝送路を使用して付加端局装置との間で授受する多重化端局装置であって、
少なくとも１つの主端局装置とインタフェースをとる主端局用現用系インタフェース手段と、
少なくとも１つの前記主端局装置とインタフェースをとる主端局用予備系インタフェース手段と、
少なくとも１つの付加端局装置とインタフェースをとる付加端局インタフェース手段と、
現用系伝送路とのインタフェースをとる現用系伝送路インタフェース手段と、
予備系伝送路とのインタフェースをとる予備系伝送路インタフェース手段と、
前記現用系伝送路へと送出すべき複数チャネルの信号を多重化して１つの多重化信号を生成するとともに、前記現用系伝送路及び前記現用系伝送路インタフェース手段を介して到来する前記多重化信号を複数チャネルの信号に分離し、この分離された複数チャネルの信号を各チャネル別に出力する伝送路側現用系多重分離手段と、
前記予備系伝送路へと送出すべき複数チャネルの信号を多重化して１つの多重化信号を生成するとともに、前記予備系伝送路及び前記予備系伝送路インタフェース手段を介して到来する前記多重化信号を複数チャネルの信号に分離し、この分離された複数チャネルの信号を各チャネル別に出力する伝送路側予備系多重分離手段と、
前記主端局装置へと送出すべき複数チャネルの信号を多重化して１つの多重化信号を生成するとともに、前記主端局用現用系インタフェース手段を介して到来する前記多重化信号を複数チャネルの信号に分離し、この分離された複数チャネルの信号を各チャネル別に出力する主端局側現用系多重分離手段と、
前記主端局装置へと送出すべき複数チャネルの信号を多重化して１つの多重化信号を生成するとともに、前記主端局用予備系インタフェース手段を介して到来する前記多重化信号を複数チャネルの信号に分離し、この分離された複数チャネルの信号を各チャネル別に出力する主端局側予備系多重分離手段と、
前記付加端局装置へと送出すべき複数チャネルの信号を多重化して１つの多重化信号を生成するとともに、前記付加端局インタフェース手段を介して到来する前記多重化信号を複数チャネルの信号に分離し、この分離された複数チャネルの信号を各チャネル別に出力する付加系多重分離手段と、
前記伝送路側現用系多重分離手段を前記主端局側現用系多重分離手段及び前記主端局側予備系多重分離手段に選択的に接続するとともに、少なくとも前記伝送路側現用系多重分離手段が前記主端局側現用系多重分離手段に接続されているときには前記主端局側予備系多重分離手段を前記伝送路側現用系多重分離手段に接続する第１の選択手段と、
前記伝送路側予備系多重分離手段を前記主端局側現用系多重分離手段、前記主端局側予備系多重分離手段及び前記付加系多重分離手段に選択的に接続するとともに、前記主端局用現用系インタフェース手段及び前記主端局側現用系多重分離手段が正常であるときに、前記伝送路側予備系多重分離手段を前記付加系多重分離手段に接続する第２の選択手段と、
前記主端局側予備系多重分離手段及び前記付加系多重分離手段と、前記第１の選択手段及び前記第２の選択手段との間に介在され、前記第１及び第２の選択手段それぞれの出力を、前記主端局側予備系多重分離手段と前記付加系多重分離手段とに選択的に導出し、また前記主端局側予備系多重分離手段及び前記付加系多重分離手段それぞれの出力を前記第１の選択手段と前記第２の選択手段とに選択的に導出するマトリクススイッチ部とを具備してなることを特徴とする多重化端局装置。
【請求項５】
高次群側に現用系高速伝送路及び予備系高速伝送路を収容するとともに所望のチャネル数に応じた主端局装置と付加端局装置とを低次群側に収容し、現用系装置と予備系装置とを備えて二重化構成をなす多重化端局装置であって、
前記現用系装置は、
前記現用系高速伝送路を終端する現用系伝送路インタフェース手段と、
前記現用系高速伝送路へと送出すべき複数チャネルの信号を多重化して１つの多重化信号を生成して、この多重化信号を前記現用系伝送路インタフェース手段を介して前記現用系高速伝送路に送出するとともに、前記現用系高速伝送路から前記現用系伝送路インタフェース手段を介して到来する多重化信号を複数チャネルの信号に分離し、この分離された複数チャネルの信号を各チャネル別に出力する現用系多重分離手段と、
前記主端局装置のそれぞれに対応して設けられ、前記低次群側に向けた信号を２系統に分岐して送出する現用系低速インタフェース手段とを備え、
前記予備系装置は、
前記予備系高速伝送路を終端する予備系伝送路インタフェース手段と、
前記予備系高速伝送路へと送出すべき複数チャネルの信号を多重化して１つの多重化信号を生成して、この多重化信号を前記予備系伝送路インタフェース手段を介して前記予備系高速伝送路に送出するとともに、前記予備系高速伝送路から前記予備系伝送路インタフェース手段を介して到来する多重化信号を複数チャネルの信号に分離し、この分離された複数チャネルの信号を各チャネル別に出力する予備系多重分離手段と、
前記主端局装置のそれぞれに対応して設けられ、前記低次群側に向けた信号を２系統に分岐して送出する予備系低速インタフェース手段とを備え、
前記現用系装置に設けられ、前記現用系多重分離手段を前記現用系低速インタフェース手段または前記予備系低速インタフェース手段のいずれかに選択的に接続する現用系選択分配手段と、
前記予備系装置に設けられ、前記予備系多重分離手段を前記現用系低速インタフェース手段または前記予備系低速インタフェース手段のいずれかに選択的に接続する予備系選択分配手段と、
個々のチャネルごとに設けられ、前記現用系低速インタフェース手段および予備系低速インタフェース手段でそれぞれ２系統に分岐された一方の信号を取り込み、現用系が正常である場合には、前記現用系低速インタフェース手段で２系統に分岐された一方の信号を前記主端局装置の予備系入力ポートに入力するとともに、現用系が正常でない場合には、前記予備系低速インタフェース手段で２系統に分岐された一方の信号を前記主端局装置の予備系入力ポートに入力する複数の第１の切替手段と、
個々のチャネルごとに設けられ、前記主端局装置の予備系出力ポートから出力された信号と前記付加端局装置から出力された信号とを取り込み、現用系が正常である場合には、前記付加端局装置から出力された信号を前記予備系低速インタフェース手段に送出するとともに、現用系が正常でない場合には、前記主端局装置の予備系出力ポートから出力された信号を前記予備系低速インタフェース手段に送出する複数の第２の切替手段とを具備することを特徴とする多重化端局装置。
【請求項６】
高次群側に現用系高速伝送路及び予備系高速伝送路を収容するとともに所望のチャネル数に応じた主端局装置と付加端局装置とを低次群側に収容し、現用系装置と予備系装置とを備えて二重化構成をなす多重化端局装置であって、
前記現用系装置は、
前記現用系高速伝送路を終端する現用系伝送路インタフェース手段と、
前記現用系高速伝送路へと送出すべき複数チャネルの信号を多重化して１つの多重化信号を生成して、この多重化信号を前記現用系伝送路インタフェース手段を介して前記現用系高速伝送路に送出するとともに、前記現用系高速伝送路から前記現用系伝送路インタフェース手段を介して到来する多重化信号を複数チャネルの信号に分離し、この分離された複数チャネルの信号を各チャネル別に出力する現用系多重分離手段と、
前記主端局装置のそれぞれに対応して設けられる現用系低速インタフェース手段とを備え、
前記予備系装置は、
前記予備系高速伝送路を終端する予備系伝送路インタフェース手段と、
前記予備系高速伝送路へと送出すべき複数チャネルの信号を多重化して１つの多重化信号を生成して、この多重化信号を前記予備系伝送路インタフェース手段を介して前記予備系高速伝送路に送出するとともに、前記予備系高速伝送路から前記予備系伝送路インタフェース手段を介して到来する多重化信号を複数チャネルの信号に分離し、この分離された複数チャネルの信号を各チャネル別に出力する予備系多重分離手段と、
前記主端局装置のそれぞれに対応して設けられる予備系低速インタフェース手段とを備え、
前記現用系装置に設けられ、前記現用系多重分離手段を前記現用系低速インタフェース手段または前記予備系低速インタフェース手段のいずれかに選択的に接続する現用系選択分配手段と、
前記予備系装置に設けられ、前記予備系多重分離手段を前記現用系低速インタフェース手段または前記予備系低速インタフェース手段のいずれかに選択的に接続する予備系選択分配手段と、
個々のチャネルごとに設けられ、前記現用系低速インタフェース手段から前記低次群側に向け送出された信号を２系統に分配する複数の第１の分配手段と、
個々のチャネルごとに設けられ、前記予備系低速インタフェース手段から前記低次群側に向け送出された信号を２系統に分配する複数の第２の分配手段と、
個々のチャネルごとに設けられ、前記第１および第２の分配手段でそれぞれ２系統に分岐された一方の信号を取り込み、現用系が正常である場合には、前記第１の分配手段からの信号を前記主端局装置の予備系入力ポートに入力するとともに、現用系が正常でない場合には、前記第２の分配手段からの信号を前記主端局装置の予備系入力ポートに入力する複数の第１の切替手段と、
個々のチャネルごとに設けられ、前記主端局装置の予備系出力ポートから出力された信号と前記付加端局装置から出力された信号とを取り込み、現用系が正常である場合には、前記付加端局装置から出力された信号を前記予備系低速インタフェース手段に送出するとともに、現用系が正常でない場合には、前記主端局装置の予備系出力ポートから出力された信号を前記予備系低速インタフェース手段に送出する複数の第２の切替手段とを具備することを特徴とする多重化端局装置。
【請求項７】
さらに、前記現用系低速インタフェース手段から前記低次群側に向け送出された信号を電気／光変換する現用系光送信機と、
前記予備系低速インタフェース手段から前記低次群側に向け送出された信号を電気／光変換する予備系光送信機とを具備することを特徴とする請求項６に記載の多重化端局装置。
【発明の詳細な説明】
【０００１】
【発明の属する技術分野】
この発明は、例えば光通信システムにおける光多重化端局装置に適用されるものであり、信頼性を確保するために二重化構成をなした多重化端局装置に関する。
【０００２】
【従来の技術】
信頼性が要求される光通信システムでは、装置故障や伝送路障害によるシステムダウンを防止するため、装置や伝送路の二重化を行うことが知られている。
【０００３】
しかし、このような二重化を行った装置では、通常現用系及び予備系の双方で同一の情報を伝送している。そのため、伝送路及び装置が正常に動作している時には、予備系にて伝送されている信号は破棄されており、従って装置が正常動作している限りは予備系が無駄となっている。
【０００４】
そこで、システムに障害の無いとき（定常時）に、予備系にサービストラフィックと異なるパートタイム信号を収容することでリソースの有効活用を図る装置の発明がなされ、特願平７−２１５５９８号として出願された。ここにパートタイム信号とは、サービストラフィックに比べて重要度の低い信号であり、冗長切り替えの際にはドロップされるものである。
【０００５】
図７に、上記発明に係る装置の構成を示す。図中符号２００は光多重化端局装置である。この光多重化端局装置２００は二重化構成となっており、現用系装置が現用系光伝送路２８０−０を介して、また予備系装置が予備系光伝送路２８０−１を介して図示しない対向の光多重化装置に接続されている。また、この光多重化端局装置２００には、それぞれ二重化構成をとる主端局装置２１０が、それぞれ二本の光ファイバーからなる現用系光伝送路２５０、及び予備系光伝送路２６０により接続されている。更にこの主端局装置２１０には、主端末２２０が接続されている。
【０００６】
また、光多重化端局装置２００の予備系装置には、パートタイム（以下Ｐ／Ｔとする）系のＰ／Ｔ端局装置２３０がパートタイム用の光伝送路（Ｐ／Ｔ光伝送路）２７０を介して接続されており、さらにパートタイム端末（Ｐ／Ｔ端末）２４０が接続されている。
【０００７】
現用系装置は、現用系低速インタフェース部８０、現用系選択分配部２０１、現用系多重分離部２０２及び現用系高速インタフェース部２０３を有している。
【０００８】
予備系装置は、予備系低速インタフェース部９０、予備系選択分配部２０４、予備系多重分離部２０５及び予備系高速インタフェース部２０６を有している。
【０００９】
現用系低速インタフェース部８０は、現用系光送受信モジュール８１、分離回路８２ａ、多重回路８２ｂ、分配回路８３ａ及び選択回路８３ｂを備えている。
【００１０】
予備系低速インタフェース部９０は、予備系光送受信モジュール９１、分離回路９４ａ、選択回路９３、多重回路９４ｂ、分配回路９５ａ及び選択回路９５ｂを備えている。
【００１１】
また、Ｐ／Ｔ端末２４０との信号の授受を行なうために、予備系低速インタフェース部９０内にもう１つのＰ／Ｔ系光送受信モジュール９２を設け、予備系低速インタフェース部９０内の選択回路９３により選択可能としている。
【００１２】
そして、現用系選択分配部２０１及び予備系選択分配部２０４により接続形態を任意に変化させることにより、図８に示す如く現用系光伝送路２５０に障害が発生した際にも、現用系側／予備系側を任意に用いての主端末２２０の通信を実現できる。また、主端末２２０が現用系側で正常な通信を行なっていれば、予備系低速インタフェース部９０の選択回路９３でＰ／Ｔ系光送受信モジュール９２を選択し、予備系側を用いてのＰ／Ｔ端末２４０の通信を実現するようにしている。
【００１３】
ところが、上記構成における光多重化端局装置２００では、例えば高速の信号を低速側インタフェースで使用する装置の場合、予備系低速インタフェース部９０内の選択回路９３では、信号が高速であるために選択回路９３内で発生するジッタが無視できなくなる。このため位相方向のＳ／Ｎが劣化してしまう問題がある。
【００１４】
そこで、高速信号を取り扱うことが可能で、かつジッタの少ないスイッチを用いる必要があるが、このスイッチは非常に高価なものであり、さらに、消費電力が大きくなってしまうという不都合が生じることになる。
【００１５】
また、前記発明（特願平７−２１５５９８）では、対向する主端局装置の予備系に警報を発出させないために、予備系にも現用系と同じ信号を伝送する方法に関する提案が行われたが、現用系装置と予備系装置との間に例えば高速の電気信号を伝送しなければならない問題があった。
【００１６】
【発明が解決しようとする課題】
上述の如く、例えば高速の信号を低速側インタフェースで取り扱う場合、低速側インタフェース部の切り替えスイッチに、高速信号の切替えが可能で、かつジッタの少ないスイッチを使用しなければならないという問題があった。
【００１７】
そこでこの発明の目的は、安価なスイッチを用いてパートタイム信号の伝送が可能な多重化端局装置を提供することにある。
【００１８】
【課題を解決するための手段】
この発明は、現用系、予備系の二重化構成を有し、かつ現用系運用中には、現用系信号とは異なる信号を、予備伝送路を使用して付加端局装置との間で授受する多重化端局装置を対象にしている。
【００１９】
そして、上記目的を達成するために、少なくとも１つの主端局装置とインタフェースをとる主端局用現用系インタフェース手段と、少なくとも１つの主端局装置とインタフェースをとる主端局用予備系インタフェース手段と、少なくとも１つの付加端局装置とインタフェースをとる付加端局インタフェース手段と、現用系伝送路とのインタフェースをとる現用系伝送路インタフェース手段と、予備系伝送路とのインタフェースをとる予備系伝送路インタフェース手段と、現用系伝送路へと送出すべき複数チャネルの信号を多重化して１つの多重化信号を生成するとともに、現用系伝送路及び現用系伝送路インタフェース手段を介して到来する多重化信号を複数チャネルの信号に分離し、この分離された複数チャネルの信号を各チャネル別に出力する伝送路側現用系多重分離手段と、予備系伝送路へと送出すべき複数チャネルの信号を多重化して１つの多重化信号を生成するとともに、予備系伝送路及び予備系伝送路インタフェース手段を介して到来する多重化信号を複数チャネルの信号に分離し、この分離された複数チャネルの信号を各チャネル別に出力する伝送路側予備系多重分離手段と、主端局装置へと送出すべき複数チャネルの信号を多重化して１つの多重化信号を生成するとともに、主端局用現用系インタフェース手段を介して到来する前記多重化信号を複数チャネルの信号に分離し、この分離された複数チャネルの信号を各チャネル別に出力する複数の主端局側現用系多重分離手段と、主端局装置へと送出すべき複数チャネルの信号を多重化して１つの多重化信号を生成するとともに、主端局用予備系インタフェース手段を介して到来する多重化信号を複数チャネルの信号に分離し、この分離された複数チャネルの信号を各チャネル別に出力する主端局側予備系多重分離手段と、付加端局装置へと送出すべき複数チャネルの信号を多重化して１つの多重化信号を生成するとともに、付加端局インタフェース手段を介して到来する多重化信号を複数チャネルの信号に分離し、この分離された複数チャネルの信号を各チャネル別に出力する付加系多重分離手段と、伝送路側現用系多重分離手段を主端局側現用系多重分離手段及び主端局側予備系多重分離手段に選択的に接続する第１の選択手段と、伝送路側予備系多重分離手段を主端局側現用系多重分離手段、主端局側予備系多重分離手段及び付加系多重分離手段に選択的に接続するとともに、主端局用現用系インタフェース手段及び主端局側現用系多重分離手段が正常であるときに、伝送路側予備系多重分離手段を付加系多重分離手段に接続する第２の選択手段とを備えるようにしたものである。
【００２０】
この構成によれば、第１及び第２の選択手段により現用系、予備系及び付加系それぞれを独立させた構成であり、現用系伝送路及び予備系伝送路から到来する多重化信号を伝送路側現用系多重分離手段及び伝送路側予備系多重分離手段により複数チャネルの信号に分離することにより複数チャネルそれぞれが例えばＳＤＨで最小ビットレートとなる信号に変換し、これら複数チャネルの信号を第１及び第２の選択手段により主端局側現用系多重分離手段、主端局側予備系多重分離手段及び付加系多重分離手段に選択的に与えて、主端局側現用系多重分離手段、主端局側予備系多重分離手段及び付加系多重分離手段にて複数チャネルの信号を多重化して１つの多重化信号に生成した後、それぞれ対応するインタフェースを介して主端局装置及び付加端局装置に伝送するようにしている。このため、第１及び第２の選択手段にて切り替えを行う信号は、複数のチャネルに分離された例えばＳＤＨ規格の最小ビットレートという低速信号であるため、伝送路の伝送速度を切り替えるよりは、ジッタの多いスイッチを使用することが可能である。
【００２１】
さらに付加系が予備系とは独立した構成であり、かつ第２の選択手段により予備系と付加系とが選択的に切り替えられるので、付加端局装置に与えられる信号が高速信号であっても、安価なスイッチで取り扱うことが可能となる。
【００２２】
逆に、主端局装置及び付加端局装置からの高速信号に対しても、それぞれ対応する主端局側現用系多重分離手段、主端局側予備系多重分離手段及び付加系多重分離手段にて複数チャネルの信号に分離されることによりＳＤＨ規格で例えば最小ビットレートとなる信号に変換し、これら複数チャネルの信号を第１及び第２の選択手段により伝送路側現用系多重分離手段、伝送路側予備系多重分離手段に選択的に与えて、伝送路側現用系多重分離手段及び伝送路側予備系多重分離手段にて複数チャネルの信号を多重化して１つの多重化信号に生成した後、それぞれ対応するインタフェースを介して現用系伝送路及び予備系伝送路に伝送するようにしているので、上記と同様に高速信号に対して安価なスイッチを用いて取り扱うことが可能となる。
【００２３】
また、第１及び第２の選択手段各々については、少なくとも（多重化信号のビットレート／１チャネル当たりの信号のビットレート）に相当する個数のスイッチを有してなることを特徴とするので、多重化信号の種類に応じて、必要とする個数の安価なスイッチを備えることが可能となる。
【００２４】
また、主端局用現用系インタフェース手段及び主端局側現用系多重分離手段は、それぞれ同一基板上に形成されて１枚の第１インタフェース基板を成し、主端局用予備系インタフェース手段及び主端局側予備系多重分離手段は、それぞれ同一基板上に形成されて１枚の第２インタフェース基板を成し、付加端局インタフェース手段及び付加系多重分離手段は、それぞれ同一基板上に形成されて１枚の第３インタフェース基板を成し、これら第１，第２及び第３インタフェース基板は、互いに同一種類の基板であることを特徴とするので、装置全体の構成の簡易化及び低コスト化を図ることが可能となる。
【００２５】
また、この発明に係る多重化端局装置は、上記対象において、少なくとも１つの主端局装置とインタフェースをとる主端局用現用系インタフェース手段と、少なくとも１つの主端局装置とインタフェースをとる主端局用予備系インタフェース手段と、少なくとも１つの付加端局装置とインタフェースをとる付加端局インタフェース手段と、現用系伝送路とのインタフェースをとる現用系伝送路インタフェース手段と、予備系伝送路とのインタフェースをとる予備系伝送路インタフェース手段と、現用系伝送路へと送出すべき複数チャネルの信号を多重化して１つの多重化信号を生成するとともに、現用系伝送路及び現用系伝送路インタフェース手段を介して到来する多重化信号を複数チャネルの信号に分離し、この分離された複数チャネルの信号を各チャネル別に出力する伝送路側現用系多重分離手段と、予備系伝送路へと送出すべき複数チャネルの信号を多重化して１つの多重化信号を生成するとともに、予備系伝送路及び予備系伝送路インタフェース手段を介して到来する多重化信号を複数チャネルの信号に分離し、この分離された複数チャネルの信号を各チャネル別に出力する伝送路側予備系多重分離手段と、主端局装置へと送出すべき複数チャネルの信号を多重化して１つの多重化信号を生成するとともに、主端局用現用系インタフェース手段を介して到来する多重化信号を複数チャネルの信号に分離し、この分離された複数チャネルの信号を各チャネル別に出力する主端局側現用系多重分離手段と、主端局装置へと送出すべき複数チャネルの信号を多重化して１つの多重化信号を生成するとともに、主端局用予備系インタフェース手段を介して到来する多重化信号を複数チャネルの信号に分離し、この分離された複数チャネルの信号を各チャネル別に出力する主端局側予備系多重分離手段と、付加端局装置へと送出すべき複数チャネルの信号を多重化して１つの多重化信号を生成するとともに、付加端局インタフェース手段を介して到来する多重化信号を複数チャネルの信号に分離し、この分離された複数チャネルの信号を各チャネル別に出力する付加系多重分離手段と、伝送路側現用系多重分離手段を主端局側現用系多重分離手段及び主端局側予備系多重分離手段に選択的に接続するとともに、少なくとも伝送路側現用系多重分離手段が主端局側現用系多重分離手段に接続されているときには主端局側予備系多重分離手段を伝送路側現用系多重分離手段に接続する第１の選択手段と、伝送路側予備系多重分離手段を主端局側現用系多重分離手段、主端局側予備系多重分離手段及び付加系多重分離手段に選択的に接続するとともに、主端局用現用系インタフェース手段及び主端局側現用系多重分離手段が正常であるときに、伝送路側予備系多重分離手段を付加系多重分離手段に接続する第２の選択手段と、主端局側予備系多重分離手段及び付加系多重分離手段と、第１の選択手段及び第２の選択手段との間に介在され、第１及び第２の選択手段それぞれの出力を、主端局側予備系多重分離手段と付加系多重分離手段とに選択的に導出し、また主端局側予備系多重分離手段及び付加系多重分離手段それぞれの出力を第１の選択手段と第２の選択手段とに選択的に導出するマトリクススイッチ部とを備えるようにしたものである。
【００２６】
この構成によれば、マトリクススイッチ部を主端局側予備系多重分離手段及び付加系多重分離手段で共用に設けられることにより、第２の選択手段が伝送路側予備系多重分離手段を付加系多重分離手段に接続しているときのみ第１の選択手段により伝送路側現用系多重分離手段から主端局側予備系多重分離手段へと信号が回し込まれる。このため、主端局用予備系インタフェース手段が切り離された状態であっても、主端局用予備系インタフェース手段に対して常に信号が与えられ、かつマトリクススイッチにより多重回路及び分離回路を予備系と付加系とにそれぞれ独立に設けている。このマトリクススイッチにて切り替える信号も、前述と同様に分離された低速の信号の切り替えを行うために、ジッタの多い安価なスイッチを用いて取り扱うことが可能になる。
【００２７】
また別の本発明は、高次群側に現用系高速伝送路及び予備系高速伝送路を収容するとともに所望のチャネル数に応じた主端局装置と付加端局装置とを低次群側に収容し、現用系装置と予備系装置とを備えて二重化構成をなす多重化端局装置にあって、
前記現用系装置に、前記現用系高速伝送路を終端する現用系伝送路インタフェース手段と、前記現用系高速伝送路へと送出すべき複数チャネルの信号を多重化して１つの多重化信号を生成して、この多重化信号を前記現用系伝送路インタフェース手段を介して前記現用系高速伝送路に送出するとともに、前記現用系高速伝送路から前記現用系伝送路インタフェース手段を介して到来する多重化信号を複数チャネルの信号に分離し、この分離された複数チャネルの信号を各チャネル別に出力する現用系多重分離手段と、前記主端局装置のそれぞれに対応して設けられ、前記低次群側に向けた信号を２系統に分岐して送出する現用系低速インタフェース手段とを備え、
前記予備系装置に、前記予備系高速伝送路を終端する予備系伝送路インタフェース手段と、前記予備系高速伝送路へと送出すべき複数チャネルの信号を多重化して１つの多重化信号を生成して、この多重化信号を前記予備系伝送路インタフェース手段を介して前記予備系高速伝送路に送出するとともに、前記予備系高速伝送路から前記予備系伝送路インタフェース手段を介して到来する多重化信号を複数チャネルの信号に分離し、この分離された複数チャネルの信号を各チャネル別に出力する予備系多重分離手段と、前記主端局装置のそれぞれに対応して設けられ、前記低次群側に向けた信号を２系統に分岐して送出する予備系低速インタフェース手段とを備え、
前記現用系装置に、前記現用系多重分離手段を前記現用系低速インタフェース手段または前記予備系低速インタフェース手段のいずれかに選択的に接続する現用系選択分配手段を設け、
前記予備系装置に、前記予備系多重分離手段を前記現用系低速インタフェース手段または前記予備系低速インタフェース手段のいずれかに選択的に接続する予備系選択分配手段を設け、
個々のチャネルごとに設けられ、前記現用系低速インタフェース手段および予備系低速インタフェース手段でそれぞれ２系統に分岐された一方の信号を取り込み、現用系が正常である場合には、前記現用系低速インタフェース手段で２系統に分岐された一方の信号を前記主端局装置の予備系入力ポートに入力するとともに、現用系が正常でない場合には、前記予備系低速インタフェース手段で２系統に分岐された一方の信号を前記主端局装置の予備系入力ポートに入力する複数の第１の切替手段と、
個々のチャネルごとに設けられ、前記主端局装置の予備系出力ポートから出力された信号と前記付加端局装置から出力された信号とを取り込み、現用系が正常である場合には、前記付加端局装置から出力された信号を前記予備系低速インタフェース手段に送出するとともに、現用系が正常でない場合には、前記主端局装置の予備系出力ポートから出力された信号を前記予備系低速インタフェース手段に送出する複数の第２の切替手段とを具備するようにしたものである。
【００２８】
または、現用系および予備系低速インタフェース手段における信号分岐機能を第１および第２の分配手段として各低速インタフェース手段の外部に設けるようにしたものである。
【００２９】
このようにすると、現用系が正常である場合には、現用系高速伝送路と主端局装置とが、また予備系高速伝送路と付加端局装置とが各チャネル毎に互いに接続される。これによりサービストラフィックに加えてパートタイム信号の伝送が可能となる。また現用系が正常でない場合には付加端局装置が切り離され、予備系高速伝送路と主端局装置とが接続されてサービストラフィックの救済がなされる。
【００３０】
これに加えて、現用系および低速インタフェース手段において信号を２分配し、それぞれの信号の信号経路を第１および第２の切替手段で切り替えることにより、予備系低速インタフェース手段を主端局装置と付加端局装置とで各チャネル毎に共用化することが可能となる。これにより、付加端局装置専用のインタフェース手段を設ける必要が無くなるので、装置の小型軽量化および低コスト化に寄与できる。
【００３１】
しかも、低次群側への信号を２分岐していることにより、主端局装置の予備系入力ポートには、現用系が正常である場合には現用系入力ポートと同じ信号が供給される状態となる。これにより冗長切り替えの際の制御信号の授受を支障無く行なうことができる。
【００３２】
【発明の実施の形態】
以下、この発明の実施形態について図面を参照して詳細に説明する。
（第１の実施形態）
図１は、この発明の実施形態に係わる情報通信システムの実態構成図である。すなわち、この実施形態ではＳＤＨ（Synchronous Digital Hierarchy ）に準拠したリングネットワークを前提としており、ｍ個の伝送装置Ｎ１〜Ｎｍが高速回線（ＳＴＭ−１６回線など）ＦＬを介してリング状に接続されている。高速回線ＦＬを伝送される情報のうち、任意のチャネルの情報が伝送装置Ｎ１〜Ｎｍにて低速回線ＳＬにドロップされ、交換機などの通信装置（符号付せず）に送られる。
【００３３】
ここで、各伝送装置Ｎ１〜Ｎｍは、それぞれＬＡＮ（Local Area Network）Ｌ１〜Ｌｍを介して監視制御装置ＷＳ１〜ＷＳｍに接続されている。これらの監視制御装置ＷＳ１〜ＷＳｍは、例えば汎用のワークステーションとして実現されるもので、いずれの監視制御装置ＷＳ１〜ＷＳｍからも、各伝送装置Ｎ１〜Ｎｍに対する監視制御を行えるものである。
【００３４】
図２に、各伝送装置Ｎ１〜Ｎｍの主要部構成を示す。すなわち各伝送装置Ｎ１〜Ｎｍは、アッド・ドロップ・マルチプレクサ（ＡＤＭ）１を備え、高速回線ＦＬを介して伝送される同期伝送データを高速インタフェース部（ＨＳ  Ｉ／Ｆ）２−１〜２−４を介してアッド・ドロップ・マルチプレクサ（ＡＤＭ）１に導入し、更に低速インタフェース部（ＬＳ  Ｉ／Ｆ）３を介して低速回線ＳＬ側にドロップする。また、低速回線ＳＬ側から入力される同期伝送データを、インタフェース部３を介してアッド・ドロップ・マルチプレクサ（ＡＤＭ）１に導入し、高速回線ＦＬに多重するものである。
【００３５】
アッド・ドロップ・マルチプレクサ（ＡＤＭ）１に対する動作制御は、各高速インタフェース部（ＨＳ  Ｉ／Ｆ）２−１〜２−４から与えられる情報に基づき制御部４により行なわれる。この制御部４は、各種制御に係わるデータを記憶部５に記憶している。なお、制御部４は、例えばマイクロコンピュータなどとして実現される。
【００３６】
ところで、この発明に係わる多重化端局装置は、上記高速インタフェース部（ＨＳ  Ｉ／Ｆ）２−１〜２−４、アッド・ドロップ・マルチプレクサ（ＡＤＭ）１及び低速インタフェース部（ＬＳ  Ｉ／Ｆ）３を含むものであり、次のように構成される。図３はその構成を示す回路ブロック図である。なお、図３では、光信号を取り扱う光多重化端局装置としている。
図中、１００は光多重化端局装置である。この光多重化端局装置１００は二重化構成となっており、現用系装置１０−０が現用系光伝送路６−０を介して、また予備系装置１０−１が予備系光伝送路６−１を介して図示しない対向の光多重化装置に接続されている。また、この光多重化端局装置１００には、それぞれ二重化構成をとるｎ個の主端局装置（７−１〜７−ｎ）７が、それぞれ二本の光ファイバーからなる現用系光伝送路（８−１〜８−ｎ）８、及び予備系光伝送路（９−１〜９−ｎ）９により接続されている。更にこれら主端局装置（７−１〜７−ｎ）７には、それぞれ主端末（２０−１〜２０−ｎ）２０が接続されている。
【００３７】
また、光多重端局装置１００の予備系装置１０−１には、パートタイム（以下Ｐ／Ｔとする）系の光端局装置（Ｐ／Ｔ端局装置）（２１−１〜２１−ｎ）２１がパートタイム用の光伝送路（Ｐ／Ｔ光伝送路）（２２−１〜２２−ｎ）２２を介して接続されており、さらにＰ／Ｔ端局装置（２１−１〜２１−ｎ）２１が、それぞれパートタイム端末（Ｐ／Ｔ端末）（２３−１〜２３−ｎ）２３に接続されている。すなわち、光多重化端局装置１００は、ｎチャネルを収容している。
【００３８】
現用系装置１０−０は、ｎ個の現用系低速インタフェース部（１１−１〜１１−ｎ）１１、現用系選択分配部１２、現用系多重分離部１３及び現用系高速インタフェース部１４を有している。
【００３９】
予備系装置１０−１は、ｎ個の予備系低速インタフェース部（１５−１〜１５−ｎ）１５、パートタイム系（Ｐ／Ｔ系）低速インタフェース部（１６−１〜１６−ｎ）１６、予備系選択分配部１７、予備系多重分離部１８及び予備系高速インタフェース部１９を有している。
【００４０】
ここでは、現用系多重分離部１３の一部、現用系高速インタフェース部１４、予備系多重分離部１８の一部及び予備系高速インタフェース部１９が上記高速インタフェース部（ＨＳ  Ｉ／Ｆ）２−１〜２−４に相当し、ｎ個の現用系低速インタフェース部（１１−１〜１１−ｎ）１１の一部、現用系選択分配部１２、現用系多重分離部１３の一部、ｎ個の予備系低速インタフェース部（１５−１〜１５−ｎ）１５の一部、パートタイム系（Ｐ／Ｔ系）低速インタフェース部（１６−１〜１６−ｎ）１６の一部、予備系選択分配部１７及び予備系多重分離部１８の一部がアッド・ドロップ・マルチプレクサ（ＡＤＭ）１に相当し、ｎ個の現用系低速インタフェース部（１１−１〜１１−ｎ）１１の一部、ｎ個の予備系低速インタフェース部（１５−１〜１５−ｎ）１５の一部及びパートタイム系（Ｐ／Ｔ系）低速インタフェース部（１６−１〜１６−ｎ）１６の一部が低速インタフェース部３に相当する。
【００４１】
次に、図３中の低速インタフェース部の中から、１チャネルを取り出した構成を図４を参照して説明する。
すなわち、主端末２０から出力された信号は、主端局装置７により光信号に変換されたのち、光伝送路８を介して現用系光送受信モジュール３１に受信された後、分離回路３２aにより所定の信号の分離及び終端処理が行われる。その後、信号は分配回路３３a及び現用系選択分配部１２を介して現用系多重分離部１３に入力され、他のチャネルの信号と多重化される。そして現用系多重分離部１３で得られた多重信号は、現用系高速インタフェース部１４を介して現用系伝送路６−０へと出力される。
【００４２】
一方、現用系光伝送路６−０を介して入力された多重化信号は、現用系高速インタフェース部１４により受信されて、現用系多重分離部１３に入力される。現用系多重分離部１３では多重化された入力信号を各チャネルのｎ本の信号に分離され、対応する現用系低速インタフェース部に配布される。この現用系多重分離部１３から出力された信号は、現用系選択分離部１２及び選択回路３３ｂを介して多重回路３２ｂに入力され、所定の終端処理が成された後、現用系光送受信モジュール３１により、光信号に変換され現用系光伝送路８へと出力される。現用系光伝送路８へと出力された光信号は、主端局装置７により受信され、主端末２０へと伝送される。
【００４３】
以上のように、障害が無い状態においては、主端末２０は現用系装置１０−０及び現用系光伝送路６−０を介して正常な通信が行える。
【００４４】
さて、障害の無い状態においては、主端末２０の信号は現用系装置１０−０を使用し伝送が行えるため、予備系低速インタフェース部１５、予備系選択分配部１７、予備系多重分離部１８及び予備系高速インタフェース部１９は使用されていない。そのため、空いている予備系伝送路６−１を使用する事を目的としたＰ／Ｔ系低速インタフェース部１６を設けた。
【００４５】
Ｐ／Ｔ端末２３から出力された信号は、Ｐ／Ｔ端局装置２１により光信号に変換されたのち、Ｐ／Ｔ用光伝送路２２を介してＰ／Ｔ系光送受信モジュール４１に受信された後、分離回路４２ａにより所定の信号の分離及び終端処理が行われる。その後、分配回路４３ａ、さらに現用系／予備系／パートタイム系に信号を分配する予備系選択分配部１７を介して予備系多重分離部１８に入力され、他のチャネルの信号と多重化される。そして予備系多重分離部１８で得られた多重信号は、予備系高速インタフェース部１９を介して予備系伝送路６−１へと出力される。
【００４６】
一方、予備系光伝送路６−１を介して入力された多重化信号は、予備系高速インタフェース部１９により受信され、予備系多重分離部１８に入力される。予備系多重分離部１８では多重化された入力信号を各チャネルのｎ本の信号に分離し、対応する予備系低速インタフェース部１５もしくはＰ／Ｔ系低速インタフェース部１６に配布される。この予備系多重分離部１８から出力された信号は、現用系／予備系／パートタイム系の３つの系に振り分ける予備系選択分離部１７、更に選択回路４３ｂを介して多重回路４２ｂに入力され、所定の終端処理が成された後、Ｐ／Ｔ系光送受信モジュール４１により光信号に変換されＰ／Ｔ系光伝送路２２へと出力される。Ｐ／Ｔ系光伝送路２２へと出力された光信号は、Ｐ／Ｔ端局装置２１により受信され、Ｐ／Ｔ端末２３へと伝送される。
【００４７】
以上のように、障害が無い状態では、Ｐ／Ｔ端末２３の信号は予備系装置１０−１及び予備系光伝送路６−１を介して正常に伝送が行うことが出来る。そのため一般的には使用されていない予備系伝送路６−１を有効活用することができる。
【００４８】
次に、現用系光伝送路８及び現用系装置１０−０のいずれかにおいて障害が発生した場合の動作について図５を参照して説明する。
すなわち、主端末２０から出力された信号は、主端局装置７より予備系に切り替えられ、予備系光伝送路９を進む。この光信号は、予備系光送受信モジュール５１に受信された後、分離回路５２ａにより所定の信号の分離及び終端処理が行われる。その後、分配回路５３ａを介し、現用系選択分配部１２の選択回路１２ａを介して出力される。そして、現用系多重分離部１３にて他のチャネルの信号と多重化される。そして現用系多重分離部１３で得られた多重信号は、現用系高速インタフェース部１４を介して現用系伝送路６−０へと出力される。
【００４９】
一方、現用系光伝送路６−０を介して入力された多重化信号は、現用系高速インタフェース部１４により受信され、現用系多重分離部１３に入力される。現用系多重分離部１３では多重化された入力信号を各チャネルのｎ本の信号に分離して出力する。この現用系多重分離部１３から出力された信号は、現用系選択分離部１２により予備系低速インタフェース部１５に伝送される。その後、選択回路５３ｂを介して多重回路５２ｂに入力され、所定の終端処理が成された後、予備系光送受信モジュール５１により、光信号に変換され、予備系光伝送路９へと出力される。予備系光伝送路９へと出力された光信号は、主端局装置７により受信され、主端末２０へと伝送される。
【００５０】
また、主光端局装置２０の現用系光伝送路８側インタフェース、現用系光伝送路８、または現用系装置１０−０のいずれかにおいて障害が発生した場合、Ｐ／Ｔ信号は前述の障害が無い場合同様、高速側インタフェースを使用した伝送が行うことができる。
【００５１】
さらに、現用系選択分配部１２、現用系多重分離部１３、現用系高速インタフェース部１４及び現用系伝送路６−０のいずれかに障害があった場合には、予備系選択分配部１７の選択回路１７ａ，１７ｂを予備系低速インタフェース部１５に切り替えることにより、対処できる。
【００５２】
以上のように上記実施形態によれば、現用系選択分配部１２及び予備系選択分配部１７により現用系低速インタフェース部１１、予備系低速インタフェース部１５及びＰ／Ｔ系低速インタフェース部１６それぞれを独立させた構成であり、現用系光伝送路６−０及び予備系光伝送路６−１から到来するギガビットクラスの多重化信号を現用系多重分離部１３及び予備系多重分離部１８により複数チャネルの信号に分離することにより複数チャネルそれぞれをＳＤＨで最小ビットレート（１５０Ｍｂｐｓ）となるデジタルシリアル信号に変換し、これら複数チャネルの信号を現用系選択分配部１２及び予備系選択分配部１７により現用系低速インタフェース部１１、予備系低速インタフェース部１５及びＰ／Ｔ系低速インタフェース部１６それぞれの多重回路３２ｂ，４２ｂ，５２ｂに選択的に与えて、多重回路３２ｂ，４２ｂ，５２ｂにて複数チャネルの信号を多重化して１つの多重化信号に生成した後、各光送受信モジュール３１，５１，４１を介して主端局装置７、Ｐ／Ｔ端局装置２１に伝送するようにしている。
【００５３】
このため、現用系選択分配部１２及び予備系選択分配部１７にジッタの多いスイッチを使用しても、このスイッチにより切り替える信号はＳＤＨ規格で最小ビットレートとなる信号であるので問題なく、さらにＰ／Ｔ系低速インタフェース部１６が予備系低速インタフェース部１５とは独立した構成であり、かつ予備系選択分配部１７により予備系とＰ／Ｔ系とが選択的に切替られるので、Ｐ／Ｔ端局装置２１に与えられる信号がギガビットクラスの高速信号であっても、安価なスイッチで取り扱うことが可能となる。
【００５４】
逆に、主端局装置７及びＰ／Ｔ端局装置２１からの例えば２５０Ｇｂｐｓの高速信号に対しても、それぞれ対応する現用系低速インタフェース部１１、予備系低速インタフェース部１５及びＰ／Ｔ系低速インタフェース部１６それぞれの分離回路３２ａ，４２ａ，５２ａにて複数チャネルの信号に分離されることによりＳＤＨ規格で最小ビットレート（１５０Ｍｂｐｓ）となる信号に変換し、これら複数チャネルの信号を現用系選択分配部１２及び予備系選択分配部１７により現用系多重分離部１３及び予備系多重分離部１８に選択的に与えて、現用系多重分離部１３及び予備系多重分離部１８にて複数チャネルの信号を多重化して１つの多重化信号に生成した後、それぞれ対応するインタフェース部１４，１８を介して現用系光伝送路６−０及び予備系光伝送路６−１に伝送するようにしているので、上記と同様に高速信号に対して安価なスイッチを用いて取り扱うことが可能となる。
【００５５】
また、現用系選択分配部１２及び予備系選択分配部１７各々の選択回路１２ａ，１２ｂ，１７ａ，１７ｂについては、少なくとも（多重化信号のビットレート／分離された１チャネル当たりの信号のビットレート）に相当する個数のスイッチを備えているので、多重化信号の種類に応じて、必要とする個数の安価なスイッチを備えることが可能となる。なお、現用系低速インタフェース部１１、予備系低速インタフェース部１５及びＰ／Ｔ系低速インタフェース部１６それぞれの分配回路３３ａ，４３ａ，５３ａ及び選択回路３３ｂ，４３ｂ，５３ｂについても同様である。
【００５６】
また、現用系低速インタフェース部１１、予備系低速インタフェース部１５及びＰ／Ｔ系低速インタフェース部１６は、互いに同一種類の基板で構成されているので、光多重化端局装置１００全体の構成の簡易化及び低コスト化に寄与できる。
【００５７】
（第２の実施形態）
ところで、上記第１の実施形態のような構成をとった場合において、現用系運用中には予備系低速インタフェース部１５が切り離されているために、予備系光伝送路９へと光信号の出力がなされない。このため、主端局装置７が入力断などの監視を行なうものであると、上記状態では入力断警報等の障害検出がなされた状態となってしまう。
【００５８】
そこで以下に、このような不具合を回避することができる実施形態を説明する。
【００５９】
図６は第２の実施形態に係る多重化端局装置を適用して構成された光多重化端局装置の要部構成を示す回路ブロック図である。なお、上記図４と同一部分には同一符号を付して詳細な説明を省略する。
【００６０】
すなわち、光多重化端局装置１１０は、予備系低速インタフェース部１５及びＰ／Ｔ系低速インタフェース部１６で共用される２×２タイプのマトリクススイッチ７１，７２を設けている。そして、現用系選択分配部１２は、現用系多重分離部１３が現用系低速インタフェース部１１に接続されているときには、選択回路１２ｃにより現用系多重分離部１３とマトリクススイッチ７１とを接続し、かつ選択回路１２ｄにより現用系多重分離部１３とマトリクススイッチ７２とを接続している。
【００６１】
また、予備系選択分配部１７は、現用系低速インタフェース部１１が正常である場合に、選択回路１７ｃにより予備系多重分離部１８とマトリクススイッチ７１とを接続し、かつ選択回路１７ｄにより予備系多重分離部１８とマトリクススイッチ７２とを接続している。
【００６２】
マトリクススイッチ７１は、分離回路４２ａ，５２ａと現用系選択分配部１２及び予備系選択分配部１７とを選択的に接続するものであり、マトリクススイッチ７２は、多重回路４２ｂ，５２ｂと現用系選択分配部１２及び予備系選択分配部１７とを選択的に接続するものである。
【００６３】
また、マトリクススイッチ７１，７２を予備系低速インタフェース部１５及びＰ／Ｔ系低速インタフェース部１６で共用する構成であることにより、予備系低速インタフェース部１５及びＰ／Ｔ系低速インタフェース部１６を１つの予備系低速インタフェース部６１に形成することができる。
【００６４】
次に、上記構成による動作について説明する。
すなわち、上記マトリクススイッチ７１，７２が予備系低速インタフェース部１５，Ｐ／Ｔ系低速インタフェース部１６と、現用系選択分配部１２及び予備系選択分配部１７との間に介在されていると、予備系選択分配部１７が予備系多重分離部１８とＰ／Ｔ系低速インタフェース部１６とを接続しているときのみ現用系選択分配部１２の選択回路１２ｄ及びマトリクススイッチ７２により現用系多重分離部１３から予備系の多重回路５２ｂへと信号が回し込まれる。そして、多重回路５２ｂにて終端処理が施されたのちの信号が予備系光送受信モジュール５１へと与えられており、この予備系光送受信モジュール５１により光信号に変換されて予備系光伝送路９へと出力される。予備系光伝送路９へと出力された光信号は、主端局装置７により受信される。
【００６５】
同時に、マトリクススイッチ７２は、予備系選択分配部１７の選択回路１７ｄからの信号をＰ／Ｔ系の多重回路４２ｂに導出している。
【００６６】
このようにして、現用系光送受信モジュール３１及び現用系光伝送路８を介して主端局装置７へと伝送されるのと同じ信号が、予備系低速インタフェース部１５に回し込まれ、予備系光送受信モジュール５１及び予備系光伝送路９を介して主端局装置７へと伝送される。
【００６７】
逆に、主端局装置７からの信号も、上記と逆経路を辿ってマトリクススイッチ７１により現用系選択分配部１２に与えれる。
【００６８】
以上のようにこの第２の実施形態によれば、予備系低速インタフェース部１５が切り離された状態であっても、予備系低速インタフェース部１５に対して常に信号が与えられ、入力断警報等の障害検出が誤ってなされることが防止される。これにより、主端局装置７の予備系光伝送路９側の系に本当の障害が生じない限りは当該系を正常動作状態に保っておくことができ、当該系を使用しての通信を開始する際にスムーズな切替えが可能となる。
【００６９】
さらに、マトリクススイッチ７１，７２により分離回路４２ａ，５２ａ及び多重回路４２ｂ，５２ｂを予備系と付加系とにそれぞれ独立に設けていることにより、従来の如く現用系から予備系に別途信号を伝送する必要が無くなり、Ｐ／Ｔ端局装置２１との間で授受される高速信号を予備系選択分配部１７にてジッタの多い安価なスイッチを用いて取り扱うことが可能になる。
【００７０】
（第３の実施形態）
ところで、上記第１または第２の実施形態で示した構成では、図３に示すごとく予備系装置１０−１に、各チャネル毎に予備系低速インタフェース部１５とＰ／Ｔ系低速インタフェース部１６とをそれぞれ備えている。以下の実施形態では、上記構成の簡略化を可能とする実施例を開示する。
【００７１】
図９に、本実施形態における光多重化端局装置の要部構成を示す。この構成では、図３の構成からＰ／Ｔ系低速インタフェース部１６−１〜１６−ｎを削除するとともに、各チャネル毎に新たに光切替部８０（８０−１〜８０−ｎ）を設けている。なお図９において、区別のため光多重化端局装置に１１０、現用系低速インタフェース部に１１１（１１１−１〜１１１−ｎ）、予備系低速インタフェース部に１１５（１１５−１〜１１５−ｎ）なる符号を付す。
【００７２】
図９において、現用系光伝送路６−０から到来する信号は現用系高速インタフェース部１４に入力され、光／電変換されたのち現用系多重分離部１３に与えられる。現用系多重分離部１３では、電気信号に変換された高速主信号が、光多重化端局装置１１０内での処理単位となる基本伝送速度の低次群信号（ＳＴＭ−１（Synchronous Transfer Module-Level 1）信号など）に分離される。
【００７３】
この低次群信号は、現用系選択分配部１２に与えられ、ここで各チャネル毎に現用系低速側インタフェース部１１１−１〜１１１−ｎおよび予備系低速側インタフェース部１１５−１〜１１５−ｎにそれぞれ分配される。
【００７４】
同様に、予備系光伝送路６−１からの信号は、予備系高速インタフェース部１９で光／電変換されたのち予備系多重分離部１８に与えられ、低次群信号に分離されて各チャネル毎に現用系低速側インタフェース部１１１−１〜１１１−ｎおよび予備系低速側インタフェース部１１５−１〜１１５−ｎにそれぞれ分配される。
【００７５】
ここで、現用系低速側インタフェース部１１１−１〜１１１−ｎは、それぞれ下流側（端局装置側）に向け２系統の出方路を備える。一方の系統は直接主端局装置７−１〜７−ｎに至る経路であり、他方の系統は光切替部８０−１〜８０−ｎを経由して主端局装置７−１〜７−ｎに至る経路である。これらの経路は、現用系低速側インタフェース部１１１−１〜１１１−ｎにて取り込まれた信号が２分岐されたもので、互いに同じ信号を伝送するものである。
【００７６】
同様に、予備系低速側インタフェース部１１５−１〜１１５−ｎはそれぞれ光切替部８０−１〜８０−ｎに向け２つの出方路を備える。これらの経路は、予備系低速側インタフェース部１１５−１〜１１５−ｎにて取り込まれた信号が２分岐されたもので、互いに同じ信号を伝送するものである。
【００７７】
光切替部８０−１〜８０−ｎは、各チャネル毎に、主端局装置７−１〜７−ｎおよびＰ／Ｔ端局装置２１−１〜２１−ｎへと至る２系統の信号出方路を有する。
【００７８】
なお、上記構成において主端局装置７−１〜７−ｎおよびＰ／Ｔ端局装置２１−１〜２１−ｎから現用系光伝送路６−０および予備系光伝送路６−１への信号経路は、上記の逆を辿るのみであるので、ここでは詳細な説明を省略する。
【００７９】
図１０に、上記構成の光多重化端局装置１１０に収容されるｎチャネルのうち１チャネル分についての要部構成を示す。
図１０において、現用系低速インタフェース部１１１は選択分配回路３３を備え、現用系選択分配部１２および予備系選択分配部１７との協調動作により、障害の有無および障害の箇所に応じて、現用系光伝送路６−０または予備系光伝送路６−１のいずれかを介して伝送された信号を選択的に取り込む。
【００８０】
ここで取り込まれた信号は多重分離回路３２で所定のインタフェース速度に多重され、分配回路１１１ｄで２系統に分岐される。一方の系統の信号は光送信機１１１ｂで電気/光変換され、現用系光伝送路８を介して主端局装置７の現用系ポートに伝送される。他方の系統の信号は、光送信機１１１ｂと同出力レベルの光送信機１１１ｃで電気/光変換され、光切替部８０の光スイッチ（光ＳＷ）８０ａに与えられる。
【００８１】
同様に、予備系低速インタフェース部１１５は選択分配回路５３を備え、現用系光伝送路６−０または予備系光伝送路６−１のいずれかを介して伝送された信号を選択的に取り込む。取り込まれた信号は多重分離回路５２で所定のインタフェース速度に多重されたのち分配回路１１５ｄで２系統に分岐される。一方の系統の信号は光送信機１１５ｂで電気/光変換されて光切替部８０の光スイッチ（光ＳＷ）８０ａに与えられる。他方の系統の信号は光送信機１１５ｂと同出力レベルの光送信機１１５ｃで電気/光変換され、Ｐ／Ｔ光伝送路２２を介してＰ／Ｔ端局装置２１に伝送される。
【００８２】
光切替部は、二つの光スイッチ８０ａ，８０ｂを備える。光スイッチ８０ａは、光送信機１１１ｃまたは光送信機１１５ｂの出力光を選択的に切り替え、主端局装置７の予備系ポートに向け送出する。光スイッチ８０ｂは、主端局装置７の予備系ポートからの信号またはＰ／Ｔ端局装置２１からの信号を選択的に切り替え、予備系低速インタフェース部１１５の光受信機１１５ａに入力する。
【００８３】
主端局装置７の現用系ポートから送出された信号は光受信機１１１ａに与えられ、光／電変換されたのち多重分離回路３２、選択分配回路３３を経由して現用／予備系選択分配部１２，１７に向け送出される。同様に、光スイッチ８０ｂからの信号は光受信機１１５ａに与えられて光／電変換され、多重分離回路５２、選択分配回路５３を経由して現用／予備系選択分配部１２，１７に向け送出される。
【００８４】
次に、図１０を参照して上記構成における動作を説明する。まず、現用系光伝送路６−０、現用系低速インタフェース部１１１、現用系光伝送路８のいずれにも障害の発生していない状態（すなわち定常状態）では、図示の通り光スイッチ８０ａは光送信機１１１ｃ側に、光スイッチ８０ｂはＰ／Ｔ端局装置２１側にそれぞれ接続される。従って光送信機１１１ｃと主端局装置７の予備系入力ポートとが、またＰ／Ｔ端局装置２１の出力ポートと光受信機１１５ａとが互いに接続される。
【００８５】
この状態では、主端局装置７の現用系及び予備系の入力ポートに、現用系光伝送路６−０から多重分離回路３２を経た同じ信号が並列入力される。すなわち起源を同一にする信号がパラフィードされ、これにより後述するように独特の効果を得られる。
また、上記の状態では予備系光伝送路６−１とＰ／Ｔ端局装置２１との間が接続され、パートタイム信号の授受が実現される。
【００８６】
次に、この状態から、光多重化端局装置１１０と主端局装置７とを結ぶ現用系光伝送路８に障害が発生した場合を考える。この場合、現用系低速インタフェース部１１１にてその旨が検知され、これが図２の制御部４に通知される。これを受けて制御部４は、光スイッチ８０ａを光送信機１１５ｂ側に、光スイッチ８０ｂを主端局装置７の予備系出力ポート側にそれぞれ切り替える。
【００８７】
これにより主端局装置７の予備系ポートと予備系低速インタフェース部１１５とが接続される。このときＰ／Ｔ系信号（パートタイム信号）はドロップされる。また制御部４は、現用系／予備系選択分配部１２，１７および選択分配回路３３，５３の切り替えも適宜行ない、障害区間を迂回した通信経路を新たに設定する。このような動作により、予備系リソースを用いたサービストラフィックの救済がなされる。
【００８８】
現用系低速インタフェース部１１１に障害が発生した場合も同様に、障害発生の旨が制御部４に通知されて、制御部４による切り替え動作によりサービストラフィックの救済が実行される。さらには、現用系光伝送路６−０の障害時にも、光スイッチ８０ａ，８０ｂ、現用系／予備系選択分配部１２，１７および選択分配回路３３，５３の切り替え状態を適宜再設定することで、同様にサービストラフィックの救済が行なわれる。
【００８９】
ここで特徴的なことは、定常時において、主端局装置７の予備系入力ポートに現用系入力ポートと同じ信号が供給されている点にある。このようにすることで、障害などの際に現用系光伝送路８を介した通信が不可能となっても、予備系光伝送路９を用いて光多重化端局装置１１０から主端局装置７に対して情報通知を行なうことが可能となる。この結果、主端局装置７における準備動作などを含め、障害時の切り替えを遅滞無く行なえるようになる。特にＳＤＨシステムにおいては、ＳＯＨ（Section Over Head）に設けられたＫバイトと呼ばれる制御信号が、冗長切り替えに際して重要な役割を担うため、この情報を転送できるラインを用意しておくことは重要である。
【００９０】
以上述べたように上記構成では、第１及び第２の実施形態と同様に、定常時におけるパートタイム信号の収容が可能となる。このような効果に加えて本実施形態では、光切替部８０および分配回路１１１ｄを設けて上記のごとく切り替えを行なうことにより、Ｐ／Ｔ系低速インタフェース部を予備系低速インタフェース部１５と共用化することが可能となる。
【００９１】
この結果、予備系装置１０−１における低速インタフェース部の構成を簡略化することが可能となる。具体的には、基板の数を単純に半分にできるといった効果を得ることができる。これにより光多重化端局装置の軽量化、省スペース化などの利点を得られるほか、高価な基板の数を減らせることから装置の低コスト化にも寄与でき、ユーザにとってのメリットは大きい。
【００９２】
（第４の実施形態）
次に、本発明の第４の実施形態を説明する。図１１は本実施形態に係わる光多重化端局装置１２０の構成を示す図である。図１１において図９と共通する部分には同一の符号を付し、ここでは異なる部分についてのみ説明する。
【００９３】
図１１の光多重化端局装置１２０は、光切替分配部９０−１〜９０−ｎを備える。このうち光切替分配部９０−１は、上流側で現用系低速インタフェース部２１１−１と予備系低速インタフェース部２１５−１とに接続されると共に、下流側で主端局装置７−１とＰ／Ｔ端局装置２１−１とに接続される。他のチャネルに関しても同様である。
【００９４】
図１２に、図１１の光多重化端局装置１２０に収容されるｎチャネルのうち１チャネル分についての要部構成を示す。図１２においては、現用系低速インタフェース部２１１は光受信機２１１ａおよび光送信機２１１ｂを備え、予備系低速インタフェース部２１５は光受信機２１５ａおよび光送信機２１５ｂを備えている。すなわち図１０に比して光送信機の数がいずれも一つ少ない。
光切替分配部９０は、光分配器９０ａ，９０ｂおよび光スイッチ（光ＳＷ）９０ｃ，９０ｄを備える。
【００９５】
主端局装置７の現用系ポートからの出力信号は、現用系低速インタフェース部２１１の光受信機２１１ａに与えられる。光送信機２１１ｂからの出力信号は光分配器９０ａで２分岐され、一方の信号が主端局装置７の予備系ポートに入力されると共に、他方の信号が光スイッチ９０ｃに接続される。
【００９６】
予備系低速インタフェース部２１５の光送信機２１５ｂからの出力信号は光分配器９０ｂで２分岐され、一方の信号がＰ／Ｔ端局装置２１に入力されると共に、他方の信号が光スイッチ９０ｃに接続される。光スイッチ９０ｃは、光送信機２１１ｂ，２１５ｂからの出力信号を選択的に主端局装置７の予備系ポートに入力する。
【００９７】
主端局装置７の予備系ポートからの出力信号およびＰ／Ｔ端局装置２１からの出力信号は、ともに光スイッチ９０ｄに与えられ、光受信機２１５ａに切り替え出力される。
【００９８】
上記構成の光多重化端局装置１２０は、次のように動作する。定常状態では、図示の通り光スイッチ９０ｃは光分配器９０ａ側に、光スイッチ８０ｂはＰ／Ｔ端局装置２１側にそれぞれ接続される。従って光送信機２１１ｂと主端局装置７の予備系入力ポートとが、またＰ／Ｔ端局装置２１の出力ポートと光受信機２１５ａとが互いに接続される。これにより上記第３の実施形態と同様、主端局装置７の現用系及び予備系の入力ポートに同じ信号がパラフィードされ、冗長切り替えの際の信号転送路を確保することができる。また、定常時にパートタイム信号の授受を行なえる点についても同様である。
【００９９】
次に、この状態から障害が発生すると、光スイッチ９０ｃが光分配器９０ｂ側に、光スイッチ９０ｄが主端局装置７の予備系出力ポート側にそれぞれ切り替えられる。従って、主端局装置７の予備系入力ポートと光送信機２１５ｂとが、主端局装置７の予備系出力ポートと光受信機２１５ａとが互いに接続される。
【０１００】
これにより主端局装置７の予備系ポートと予備系低速インタフェース部２１５とが接続され、パートタイム信号はドロップされるが、代わりにサービストラフィックが救済される。
【０１０１】
以上のような動作を行なうことで、本実施形態においても上記第１〜第３の実施形態と同様に、定常時におけるパートタイム信号の収容が可能となる。また特に低速インタフェース部の数を減らせることは、上記第３の実施形態と同様である。このような効果に加えて本実施形態では、現用系／予備系低速インタフェース部２１１，２１５における光送信機の数をさらに減らすことができる。光分配器９０ａ，９０ｂを設けて光送信機からの出力を２分配することで、光送信機を共用化できるようにしたからである。
【０１０２】
これにより、装置の小型軽量化をさらに促すことができると共に、高価な光送信機の数を減らせることから、更なる低コスト化を図ることが可能となり、ユーザへのメリットはますます大きなものとなる。
【０１０３】
ところで、上記構成では光送信機２１１ｂ，２１５ｂの出力を２系統に分配しているため光分配器９０ａ，９０ｂにおいて約３ｄＢのロスを生じることになるが、これは光送信機２１１ｂ，２１５ｂの出力レベルを上げることで十分に対応できる。
【０１０４】
なお、この発明は上記各実施形態に限定されるものではない。例えば上記各実施形態では、主端末２０とＰ／Ｔ端末２３とは同数としているが、Ｐ／Ｔ端末２３は主端末２０よりも少数であってもよい。
【０１０５】
また本発明に係る光多重化端局装置は図１のようなリングネットワークにおいてだけでなく、ポイント・ツウ・ポイントの伝送システムにおいても使用することが可能である。
【０１０６】
さらに、他の構成例を挙げることも可能である。図１３に、上記第３の実施の形態に関する他の構成例を示す。すなわち図１３は、図１０に置き換えることができる。
図１３に示す光多重化端局装置は、光送信機１１１ｃ，光受信機１１５ａ，光受信機１１５ｂ、光送信機１１５ｃの位置を変更し、切替部３００内で光／電変換を行なうようにしたものである。これに伴って光スイッチ８０ａ，８０ｂは、電気信号を取り扱う切替スイッチ（切替ＳＷ）３００ａ，３００ｂとなる。要するに、光／電気インタフェースの変換を切替スイッチ３００ａ，３００ｂを挟んだ下流側で行なうようにしたものである。このようにしても全く同様の作用、効果を得られるし、切替スイッチ３００ａ，３００ｂが安価であれば低コスト化にも寄与できるであろう。
【０１０７】
このほか、この発明の要旨を逸脱しない範囲で種々の変形実施が可能である。
【０１０８】
【発明の効果】
以上詳述したようにこの発明によれば、現用系、予備系及びパートタイム系の切替えを、分離された信号を取り扱う現用系選択分配部及び予備系選択分配部で行なうようにしているので、これら現用系選択分配部及び予備系選択分配部で安価なスイッチを用いて高速となるパートタイム信号の伝送が可能で、装置全体の低コスト化に寄与できる多重化端局装置を提供することができる。
【０１０９】
また、マトリクススイッチを用いて切り離された予備系低速インタフェース部に常に信号を回しこむことにより予備系低速インタフェース部を有効に活用でき、かつ安価なスイッチを用いて高速となるパートタイム信号を伝送可能な多重化端局装置を提供することもできる。
【０１１０】
また別の本発明によれば、低次群側への信号を２分岐し、第１および第２の切替手段で定常時／障害発生時の信号経路を切り替えるようにしているので、予備系低速インタフェース部を主端局装置とＰ／Ｔ端局装置とで共用化することが可能となり、装置の小型化、軽量化、ひいては低コスト化に寄与することが可能となる。
【図面の簡単な説明】
【図１】  この発明の実施形態に係わる情報通信システムを示す概略構成図。
【図２】  上記図１に示した伝送装置の主要部構成を示す回路ブロック図。
【図３】  この発明の第１の実施形態に係わる多重化端局装置を適用して構成された光多重化端局装置の要部構成を示す回路ブロック図。
【図４】  上記図３中の光多重化端局装置に収容されたｎチャネルのうちの１チャネル分についての要部構成を示す回路ブロック図。
【図５】  上記図４の現用系光伝送路に障害が発生した際の光多重化端局装置に収容されたｎチャネルのうちの１チャネル分についての要部構成を示す回路ブロック図。
【図６】  この発明の第２の実施形態に係わる多重化端局装置を適用して構成された光多重化端局装置の１チャネル分の要部構成を示す回路ブロック図。
【図７】  従来の光多重化端局装置の要部構成を示す回路ブロック図。
【図８】  図７中の現用系光伝送路に障害が発生した場合の光多重化端局装置の要部構成を示す回路ブロック図。
【図９】  この発明の第３の実施形態に係わる光多重化端局装置の要部構成を示す回路ブロック図。
【図１０】  図９の光多重化端局装置１１０に収容されるｎチャネルのうち１チャネル分についての要部構成を示す回路ブロック図。
【図１１】  この発明の第４の実施形態に係わる光多重化端局装置の要部構成を示す回路ブロック図。
【図１２】  図１１の光多重化端局装置１２０に収容されるｎチャネルのうち１チャネル分についての要部構成を示す回路ブロック図。
【図１３】  本発明の第３の実施形態に係わる光多重化端局装置の他の構成を示す回路ブロック図。
【符号の説明】
１００，１１０，１２０，２００…光多重化端局装置
６−０…現用系光伝送路
６−１…予備系光伝送路
（７−１〜７−ｎ）７…主端局装置
（８−１〜８−ｎ）８…現用系光伝送路
（９−１〜９−ｎ）９…予備系光伝送路
１０−０…現用系装置
１０−１…予備系装置
（１１−１〜１１−ｎ）１１…現用系低速インタフェース部
１２…現用系選択分配部
１３…現用系多重分離部
１４…現用系高速インタフェース部
（１５−１〜１５−ｎ）１５…予備系低速インタフェース部
（１６−１〜１６−ｎ）１６…Ｐ／Ｔ系低速インタフェース部
１７…予備系選択分配部
１８…予備系多重分離部
１９…予備系高速インタフェース部
（２０−１〜２０−ｎ）２０…主端末
（２１−１〜２１−ｎ）２１…Ｐ／Ｔ端局装置
（２２−１〜２２−ｎ）２２…Ｐ／Ｔ光伝送路
（２３−１〜２３−ｎ）２３…Ｐ／Ｔ端末
３１…現用系光送受信モジュール
４１…Ｐ／Ｔ系光送受信モジュール
５１…予備系光送受信モジュール
３２a，４２ａ，５２ａ…分離回路
３２ｂ，４２ｂ，５２ｂ…多重回路
３３a，４３ａ，５３ａ…分配回路
３３ｂ，４３ｂ，５３ｂ…選択回路
６１…予備系低速インタフェース部
７１，７２…マトリクススイッチ
（８０−１〜８０−ｎ）８０…光切替部
（１１１−１〜１１１−ｎ）１１１…現用系低速インタフェース部
（１１５−１〜１１５−ｎ）１１５…予備系低速インタフェース部
（９０−１〜９０−ｎ）９０…光切替部
（２１１−１〜２１１−ｎ）２１１…現用系低速インタフェース部
（２１５−１〜２１５−ｎ）２１５…予備系低速インタフェース部
３２，５２…多重分離回路
３３，５３…選択分配回路
８０ａ，８０ｂ，９０ａ，９０ｂ…光スイッチ（光ＳＷ）
１１１ａ，１１５ａ…光受信機
１１１ｂ，１１１ｃ，１１５ｂ，１１５ｃ…光送信機
１１１ｄ，１１５ｄ…分配回路
２１１ａ，２１５ａ…光受信機
２１１ｂ，２１５ｂ…光送信機
３００…切替部
３００ａ，３００ｄ…光送信機
３００ｂ，３００ｃ…光受信機
３００ｅ，３００ｆ…切替スイッチ（切替ＳＷ）
【図１】
0004163351.tif 000002
【図２】
0004163351.tif 000003
【図３】
0004163351.tif 000004
【図４】
0004163351.tif 000005
【図５】
0004163351.tif 000006
【図６】
0004163351.tif 000007
【図７】
0004163351.tif 000008
【図８】
0004163351.tif 000009
【図９】
0004163351.tif 000010
【図１０】
0004163351.tif 000011
【図１１】
0004163351.tif 000012
【図１２】
0004163351.tif 000013
【図１３】
0004163351.tif 000014